(57)【要約】【課題】  隣接チャネルを停止することなく、チャネル毎にレベル調整を行う。【解決手段】  弾器コネクタ２に弾器ジャック３を接続すると、例えば、端子６ａ１,６ｂ１は、弾接状態が解除され、離間する。弾器ジャック３の端子７ａ１,７ｂ１は、端子６ａ１,６ｂ１間に挿入されることによって、端子６ａ１と端子６ｂ１とを離間させるとともに、端子７ａ１は端子６ａ１に、端子７ｂ１は端子６ｂ１に弾接されて電気的に接続する。アッテネータ部１５は、端子７ａ１と端子７ａ２とに接続され、アッテネータ部１６は、端子７ａ３と端子７ａ４とに接続される。ここで、操作部１７,１８を用いて、アッテネータ部１５,１６の減衰量を設定し、送信回線及び受信回線におけるレベル調整を行う。【選択図】  図１
2010114683.tif 000002
【特許請求の範囲】
【請求項１】
搬送端局装置の通話路盤にチャネルに対応して設けられた弾器コネクタに接続されて用いられる弾器ジャックであって、
前記チャネルに対応する通信回線を伝送される信号を減衰させて前記信号のレベルを調整するための減衰手段を備えた
ことを特徴とする弾器ジャック。
【請求項２】
前記通話路盤の前面部に複数列配置された前記弾器コネクタのうち、最側端列の前記弾器コネクタに接続され、前記減衰手段は、弾器ジャック本体の隣接した前記弾器コネクタから遠い側の側面に配設されていることを特徴とする請求項１に記載の弾器ジャック。
【請求項３】
前記通信回線の試験を行うための試験装置に接続可能な弾器コードを接続するための端子部を備えたことを特徴とする請求項１又は２に記載の弾器ジャック。
【発明の詳細な説明】
【技術分野】
【０００１】
この発明は、例えば、多重端局装置における信号のレベル調整のために用いられる弾器ジャックに関する。
【背景技術】
【０００２】
信号を多重化して送出したり、多重化された信号を受信して元の信号に分離する搬送端局装置（例えば、１．５Ｍ多重端局装置等）の通話路盤（チャネル（ＣＨ）盤）には、複数のチャネル基板が配設されている。そして、これらのチャネル基板には、レベル調整用のアッテネータ（減衰器）が内蔵されている。例えば、新規回線を構成する場合に、チャネル中継を行うときには、チャネル基板を取り出して、内蔵されたアッテネータを用いて、レベル調整を行わなければならない。
【０００３】
ところが、通常、１枚のチャネル基板は、２チャネルのために用いられており、レベル調整のためにチャネル基板を取り出す場合には、調整対象のチャネルの隣接チャネルも停止しなければならない。計画的に実施される作業としての新規回線構成では、隣接チャネルの停止を予め申請して、調整作業が行われるので、問題は発生しないが、例えば、障害発生時に、急遽、回線構成が必要となった場合は、隣接チャネルも急遽停止してしまうことになってしまう。しかしながら、系統情報伝送回線等の重要な回線については、急遽停止できない場合がある。
【０００４】
ところで、通話路盤には、チャネル基板のチャネル毎に、例えば試験時に用いる弾器コネクタが設けられており、この弾器コネクタに、回線試験用の弾器ジャックを接続し、弾器ジャックとこれに接続された弾器コードとを介して、通話路盤をテスト盤等に接続して、テスト盤に接続した測定器を用いて、チャネル基板を取り外すことなく（回線停止することなく）、回線試験が可能なようにはなされている（例えば、特許文献１参照。）。
【特許文献１】特開平７−１４３５２７号公報
【発明の開示】
【発明が解決しようとする課題】
【０００５】
しかし、上記従来技術では、伝送路における通信、通話を確認しながら、回線試験を行うことはできるものの、信号のレベル調整はできない。したがって、レベル調整のためには、依然として、チャネル基板を取り出して、アッテネータを調整しなければならず、隣接チャネルを停止しなければならない。
【０００６】
この発明は、前記の課題を解決し、隣接チャネルを停止することなく、チャネル毎にレベル調整を行うことができる弾器ジャックを提供することを目的としている。
【課題を解決するための手段】
【０００７】
前記の課題を解決するために、請求項１の発明は、搬送端局装置の通話路盤にチャネルに対応して設けられた弾器コネクタに接続されて用いられる弾器ジャックであって、前記チャネルに対応する通信回線を伝送される信号を減衰させて前記信号のレベルを調整するための減衰手段を備えたことを特徴としている。
【０００８】
請求項１の発明では、弾器ジャックが弾器コネクタに接続され、減衰手段がチャネルに対応する通信回線を伝送される信号を減衰させて信号のレベルを調整するために用いられる。
【０００９】
請求項２の発明は、請求項１に記載の弾器ジャックであって、前記通話路盤の前面部に複数列配置された前記弾器コネクタのうち、最側端列の前記弾器コネクタに接続され、前記減衰手段は、弾器ジャック本体の隣接した前記弾器コネクタから遠い側の側面に配設されていることを特徴としている。
【００１０】
請求項３の発明は、請求項１又は２に記載の弾器ジャックであって、前記通信回線の試験を行うための試験装置に接続可能な弾器コードを接続するための端子部を備えたことを特徴としている。
【発明の効果】
【００１１】
請求項１の発明によれば、レベル調整対象のチャネルに対応した弾器コネクタに弾器ジャックを接続して、弾器ジャックの減衰手段を用いて、レベル調整を行うことができるので、例えば、チャネル基板を取り出す必要がない。したがって、隣接チャネルを停止することなく、チャネル毎にレベル調整を行うことができる。
【００１２】
請求項２の発明によれば、通話路盤の前面部に複数列配置された弾器コネクタのうち、最側端列の弾器コネクタに接続された弾器ジャックでは、減衰手段は、弾器ジャック本体の隣接した弾器コネクタから遠い側の側面に配設されているので、レベル調整の際の作業性を向上させることができる。
【００１３】
請求項３の発明によれば、弾器コードを接続するための端子部を設けたので、必要に応じて、端子部に、弾器コードを接続し、弾器コードを介して試験装置を接続し、所定の試験を行うことができる。
【発明を実施するための最良の形態】
【００１４】
次に、この発明の実施の形態について、図面を用いて詳しく説明する。
【００１５】
（実施の形態）
図１は、この発明の一実施の形態による弾器ジャックが通話路盤の弾器コネクタに接続された状態を示す回路図、図２は、同通話路盤の構成を示す正面図、図３は、同弾器コネクタの構成を示す回路図、図４は、同弾器コネクタのコネクタ端子部の概略構成を説明するための説明図である。
【００１６】
図１及び図２に示すように、搬送端局装置（例えば、１．５Ｍ多重端局装置等）の通話路盤１には、チャネル基板のチャネル毎に、弾器コネクタ２が設けられており、各弾器コネクタ２に、弾器ジャック３が接続可能とされている。この実施の形態では、各チャネル基板に対応して、左右一対の弾器コネクタ２，２が２列に配置されている。弾器コネクタ２は、図３及び図４に示すように、外線側接続線５ａ１〜５ａ６に接続された端子６ａ１〜６ａ６が上段に、装置側接続線５ｂ１〜５ｂ６に接続された端子６ｂ１〜６ｂ６が下段に（全体として２行６列に）配置されてなるコネクタ端子部６を有している。
【００１７】
ここで、一対の端子６ａ１,６ｂ１は、図３及び図４に示すように、送信回線４ＷＳ（ｆｏｕｒ  ｗｉｒｅ  ｓｅｎｄ  ｐａｉｒ）のＴ（送信）に、一対の端子６ａ２,６ｂ２は、送信回線４ＷＳのＲ（受信）に対応している。また、一対の端子６ａ３,６ｂ３は、受信回線４ＷＲ（ｆｏｕｒ  ｗｉｒｅ  ｒｅｃｅｉｖｅ  ｐａｉｒ）のＴ（送信）に、一対の端子６ａ４,６ｂ４は、送信回線４ＷＳのＲ（受信）に対応している。また、一対の端子６ａ５,６ｂ５は、ＤＬ（信号送信）に、端子６ａ６,６ｂ６は、ＲＧ（信号受信）に対応している。
【００１８】
弾器コネクタ２に弾器ジャック３が接続されていないときは、端子６ａ１,６ｂ１（端子６ａ２,６ｂ２、端子６ａ３,６ｂ３、端子６ａ４,６ｂ４、端子６ａ５,６ｂ５、端子６ａ６,６ｂ６）は、弾性力によって弾接状態となり、電気的に接続される。後述するように、弾器コネクタ２に弾器ジャック３が接続されると、端子６ａ１,６ｂ１（端子６ａ２,６ｂ２、端子６ａ３,６ｂ３、端子６ａ４,６ｂ４、端子６ａ５,６ｂ５、端子６ａ６,６ｂ６）は、弾接状態が解除され、離間する。ここで、端子６ａ１と端子６ａ２との間、端子６ａと端子６ａ４との間には、それぞれ、アッテネータ部１５,１６が接続される。
【００１９】
図５は、弾器ジャックの構成を示す斜視図、図６は、同弾器ジャックのレベル調整部の構成を示すブロック図である。弾器ジャック３は、図１及び図５に示すように、ジャック本体１１の前面側及び後面側に、コネクタ側端子部７及びコード側端子部８が配置されているとともに、ジャック本体１１の一方の側面には、レベル調整部１２が設けられてなっている。
【００２０】
コネクタ側端子部７は、それぞれ、端子６ａ１,６ｂ１、端子６ａ２,６ｂ２、端子６ａ３,６ｂ３、端子６ａ４,６ｂ４、端子６ａ５,６ｂ５、端子６ａ６,６ｂ６に接続され、それぞれ対をなす端子７ａ１,７ｂ１、端子７ａ２,７ｂ２、端子７ａ３,７ｂ３、端子７ａ４,７ｂ４、端子７ａ５,７ｂ５、端子７ａ６,７ｂ６を有している。端子７ａ１,７ｂ１は、端子６ａ１,６ｂ１間に挿入されることによって、端子６ａ１と端子６ｂ１とを離間させるとともに、端子７ａ１は端子６ａ１に、端子７ｂ１は端子６ｂ１に弾接されて電気的に接続する。端子７ａ２,７ｂ２、端子７ａ３,７ｂ３、端子７ａ４,７ｂ４、端子７ａ５,７ｂ５、端子７ａ６,７ｂ６についても同様である。
【００２１】
コード側端子部８は、それぞれ、端子７ａ１,７ｂ１、端子７ａ２,７ｂ２、端子７ａ３,７ｂ３、端子７ａ４,７ｂ４、端子７ａ５,７ｂ５、端子７ａ６,７ｂ６に電気的に接続し、弾器コード（不図示）が接続され、それぞれ対をなす端子８ａ１,８ｂ１、端子８ａ２,８ｂ２、端子８ａ３,８ｂ３、端子８ａ４,８ｂ４、端子８ａ５,８ｂ５、端子８ａ６,８ｂ６を有している。コード側端子部８に、弾器コードが接続されていないときは、８ａ１,８ｂ１（端子８ａ２,８ｂ２、端子８ａ３,８ｂ３、端子８ａ４,８ｂ４、端子８ａ５,８ｂ５、端子８ａ６,８ｂ６）は、弾性力によって弾接状態となり、電気的に接続される。
【００２２】
このとき、弾器コネクタ２に弾器ジャック３が接続されている状態では、端子６ａ１,６ｂ１（端子６ａ２,６ｂ２、端子６ａ３,６ｂ３、端子６ａ４,６ｂ４、端子６ａ５,６ｂ５、端子６ａ６,６ｂ６）は、弾器ジャック３を介して電気的に接続される。弾器ジャック３に弾器コードが接続されると、８ａ１,８ｂ１（端子８ａ２,８ｂ２、端子８ａ３,８ｂ３、端子８ａ４,８ｂ４、端子８ａ５,８ｂ５、端子８ａ６,８ｂ６）は、弾接状態が解除され、離間する。
【００２３】
レベル調整部１２は、図５及び図６に示すように、送信用調整部１３と、受信用調整部１４とを有し、図２中、左側に配置された奇数チャネルに対応する弾器コネクタ２に接続される弾器ジャック３では、ジャック本体１１の左側面に、右側に配置された偶数チャネルに対応する弾器コネクタ２に接続される弾器ジャック３では、ジャック本体１１の右側面に設けられる。送信用調整部１３（受信用調整部１４）は、アッテネータ部１５（１６）と、操作部１７（１８）とを有している。なお、弾器ジャック３には、誤操作防止のための専用の透明カバー部材（不図示）が取り付けられる。
【００２４】
図１及び図４に示すように、アッテネータ部１５は、端子７ａ１と端子７ａ２とを接続するように配置される。また、アッテネータ部１６は、端子７ａ３と端子７ａ４とを接続するように配置される。アッテネータ部１５（１６）は、図６に示すように、例えば、１ｄＢ、２ｄＢ、４ｄＢ、８ｄＢのアッテネータ２１ａ,２１ｂ,２１ｃ,２１ｄ（２２ａ,２２ｂ,２２ｃ,２２ｄ）が直列接続されてなっている。操作部１７（１８）は、それぞれ、アッテネータ２１ａ,２１ｂ,２１ｃ,２１ｄ（２２ａ,２２ｂ,２２ｃ,２２ｄ）に並列接続され、アッテネータ２１ａ,２１ｂ,２１ｃ,２１ｄ（２２ａ,２２ｂ,２２ｃ,２２ｄ）の両端を短絡するための切換スイッチ２３ａ,２３ｂ,２３ｃ,２３ｄ（２４ａ,２４ｂ,２４ｃ,２４ｄ）を有している。図５に示すように、例えば、切換スイッチ２３ａ,２３ｂ、切換スイッチ２３ｃ,２３ｄ、切換スイッチ２４ａ,２４ｂ、切換スイッチ２４ｃ,２４ｄは、それぞれ、ＤＩＰスイッチ２５ａ,２５ｂ,２５ｃ,２５ｄを構成している。
【００２５】
次に、上記構成の弾器ジャックを用いたレベル調整方法について説明する。まず、弾器コネクタ２に弾器ジャック３を接続する。端子６ａ１,６ｂ１（端子６ａ２,６ｂ２、端子６ａ３,６ｂ３、端子６ａ４,６ｂ４、端子６ａ５,６ｂ５、端子６ａ６,６ｂ６）は、弾接状態が解除され、離間する。弾器ジャック３の端子７ａ１,７ｂ１は、端子６ａ１,６ｂ１間に挿入されることによって、端子６ａ１と端子６ｂ１とを離間させるとともに、端子７ａ１は端子６ａ１に、端子７ｂ１は端子６ｂ１に弾接されて電気的に接続する。端子７ａ２,７ｂ２、端子７ａ３,７ｂ３、端子７ａ４,７ｂ４、端子７ａ５,７ｂ５、端子７ａ６,７ｂ６についても同様である。
【００２６】
さらに、アッテネータ部１５は、端子７ａ１と端子７ａ２とに接続され、アッテネータ部１６は、端子７ａ３と端子７ａ４とに接続される。ここで、操作部１７を用いて、アッテネータ部１５の減衰量を設定し、送信回線におけるレベル調整を行う。次に、操作部１８を用いて、アッテネータ部１６の減衰量を設定し、受信回線におけるレベル調整を行う。ここで、例えば、切換スイッチ２３ａがオフとなると、アッテネータ２１ａが挿入され、オンとなると切り離されることとなる。弾器コネクタ２に弾器ジャック３を一旦接続した後は、常時接続したままとする。この後、必要に応じて、コード側端子部８に、弾器コードを接続し、弾器コードを介して試験装置等を接続し、所定の試験を行う。
【００２７】
こうして、この実施の形態の構成によれば、レベル調整対象のチャネルに対応した弾器コネクタ２に弾器ジャック３を接続して、弾器ジャック３のレベル調整部１２を用いて、信号のレベル調整を行うことができるので、チャネル基板を取り出す必要がない。したがって、隣接チャネルを停止することなく、チャネル毎にレベル調整を行うことができる。また、隣接チャネル停止の申請等の手続きも不要となり、特に、緊急時に迅速に対応することができる。また、チャネル基板を取り出すことなく、手間をかけることなく容易にレベル調整を行うことができる。
【００２８】
また、コード側端子部８を設けたので、必要に応じて、コード側端子部８に、弾器コードを接続し、弾器コードを介して試験装置等を接続し、所定の試験を行うことができる。また、レベル調整部１２は、左側に配置された弾器コネクタ２に接続される弾器ジャック３は、ジャック本体１１の左側面に、右側に配置された弾器コネクタ２に接続される弾器ジャック３は、ジャック本体１１の右側面に設けられるので、レベル調整の際の作業性を向上させることができる。
【００２９】
以上、この発明の実施の形態を図面を参照して詳述してきたが、具体的な構成はこれらの実施の形態に限られるものではなく、この発明の要旨を逸脱しない範囲の設計の変更等があってもこの発明に含まれる。例えば、上述した実施の形態１では、操作部に、ＤＩＰスイッチを用いる場合について述べたが、ロータリースイッチとしても良い。また、減衰量は、連続的に可変としても不連続的に可変としても良い。また、アッテネータ部１５（１６）の一方の側若しくは両方の側、又は隣接するアッテネータ間に、切換スイッチを配置して、アッテネータ部１５（１６）を切離可能なようにしても良い。また、直列接続されたアッテネータに並列に別のアッテネータを接続するようにしても良い。
【００３０】
また、チャネル基板当たり２チャネルの場合について述べたが、３チャネル以上の場合にも適用できる。また、１チャネルとしても良い。この場合も、チャネル基板を取り出すことなく、手間をかけることなく容易にレベル調整を行うことができる。また、弾器ジャックに、回線確認試験のための音声を出力するスピーカ等を設けても良い。また、コード側端子部は、コネクタ側端子部に対向する側に限らず、例えば、ジャック本体の側面に設けるようにしても良い。
【産業上の利用可能性】
【００３１】
弾器ジャックの両端子部が、一方が雄形、他方が雌形の場合のほか、両方雄形や、両方雌形の場合に適用できる。
【図面の簡単な説明】
【００３２】
【図１】この発明の一実施の形態による弾器ジャックが通話路盤の弾器コネクタに接続された状態を示す回路図である。
【図２】同通話路盤の構成を示す正面図である。
【図３】同弾器コネクタの構成を示す回路図である。
【図４】同弾器コネクタのコネクタ端子部の概略構成を説明するための説明図である。
【図５】同弾器ジャックの構成を示す斜視図である。
【図６】同弾器ジャックのレベル調整部の構成を示すブロック図である。
【符号の説明】
【００３３】
１  通話路盤
２  弾器コネクタ
３  弾器ジャック
８  コード側端子部（端子部）
１１  ジャック本体（弾器ジャック本体）
１２  レベル調整部
１５,１６  アッテネータ部（減衰手段）
【図１】
2010114683.tif 000003
【図２】
2010114683.tif 000004
【図３】
2010114683.tif 000005
【図４】
2010114683.tif 000006
【図５】
2010114683.tif 000007
【図６】
2010114683.tif 000008